(57)【要約】【課題】直接照明としてのみならず間接照明としての効果も得られる照明装置の、明るさ感の向上を図りつつ、照明装置の薄型化を促進する。【解決手段】導光板２２の内周端面２２ａに沿って配置される複数の点状光源２４から、導光板２２内に入射する光Ｌの一部が、出射面である導光板の外周端面２２ｂから外部に出射する。導光板２２の外周端面２２ｂから光Ｌを出射することで、間接照明としての効果が小さい照明装置２０の直上の範囲に光Ｌが回りこむことなく、導光板２２の外周端面２２ｂの更に外側の範囲へと配光される。導光板２２自体が、間接照明としての配光機能を担持するものであり、照明装置２０としての厚みを増大させる要因である配光機能を有する部品を別途使用する必要がなく、照明装置２０の薄型化を促進することが出来る。【選択図】図１
2012129112.tif 000002
【特許請求の範囲】
【請求項１】
内周端面と外周端面とを有する導光板と、前記内周端面に沿って配置される複数の点状光源とを有し、
前記外周端面は、前記点状光源から、前記内周端面へ向けて出射されて導光板内に入射する光の一部が前記導光板の外部に出射するための、出射面として構成されていることを特徴とする照明装置。
【請求項２】
前記外周端面が、前記導光板の主面に対し全体として直交する面で構成されていることを特徴とする請求項１記載の照明装置。
【請求項３】
前記外周端面に、前記導光板の外部へと出射する光の配向を制御するプリズムが形成されていることを特徴とする請求項１又は２記載の照明装置。
【請求項４】
前記導光板が円環状をなしていることを特徴とする請求項１から３のいずれか１項記載の照明装置。
【発明の詳細な説明】
【技術分野】
【０００１】
本発明は、照明装置に関するものである。
【背景技術】
【０００２】
室内照明用の照明装置には、従来から様々な形式のものがあるが、天井に設置される照明装置には、床面方向を照らすのみならず天井面を照らすことにより、いわゆる間接照明としての効果も得られ、明るさ感の向上を図ったものも発案されている（例えば、特許文献１参照）。
一例として、図３に示される照明装置１０は、光源である蛍光灯１２を覆う透光性のフレーム１４が、天井面１６への配向を考慮した曲面１４ａを有しており、この曲面１４ａを透過する際に蛍光灯１２の光Ｌは屈折し、天井面１６の広範囲へと配光されることとなる。
【先行技術文献】
【特許文献】
【０００３】
【特許文献１】特開２００１−３５２０２号公報
【発明の概要】
【発明が解決しようとする課題】
【０００４】
しかしながら、従来の照明装置１０は、蛍光灯１２の光Ｌがフレーム１４の曲面１４ａを透過、屈折して得られる照度分布が、不均一となり易いものである。又、間接照明としての効果が小さい照明装置１０の直上を照らしてしまう等、配光の無駄が多く、効率的に明るさ感の向上を図るものではない。又、蛍光灯１２から出射された光Ｌを天井面１６の広範囲へと配光するための、フレーム１４の曲面１４ａが照明装置１０の厚みを増すこととなり、照明装置１０の薄型化を妨げる要因となっている。
本発明は上記課題に鑑みてなされたものであり、その目的とするところは、直接照明としてのみならず間接照明としての効果も得られる照明装置の、明るさ感の向上を図りつつ薄型化を促進することにある。
【課題を解決するための手段】
【０００５】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）内周端面と外周端面とを有する導光板と、前記内周端面に沿って配置される複数の点状光源とを有し、前記外周端面は、前記点状光源から、前記内周端面へ向けて出射されて導光板内に入射する光の一部が前記導光板の外部に出射するための、出射面として構成されている照明装置（請求項１）。
本項に記載の照明装置は、前記内周端面に沿って配置される複数の点状光源から、導光板内の内周端面へ向けて出射されて、導光板内に入射する光の一部が、出射面である導光板の外周端面から外部に出射することで、照明装置の外周端面の更に外側へと、光が積極的に配光されるものである。しかも、導光板の外周端面から光を出射することで、間接照明としての効果が小さい照明装置の直上の範囲に光が回りこむことなく、導光板の外周端面の更に外側の範囲へと配光されるものである。又、導光板自体が間接照明としての配光機能を担持するものであり、照明装置としての厚みを増大させる要因である配光機能を有する部品を、別途使用する必要もない。
【０００７】
（２）上記（１）項において、前記外周端面が、前記導光板の主面に対し全体として直交する面で構成されている照明装置（請求項２）。
本項に記載の照明装置は、外周端面が、導光板の主面、すなわち、点状光源から内周端面へ向けて出射されて導光板内に入射する光のうち、導光板内を伝播する過程で大部分が出射される出射平面に対し、全体として（マクロ的構成として）直交する面で構成されていることで、外周端面から出射される光が、間接照明としての効果が小さい照明装置の直上の範囲へと回り込むことなく、照明装置の外周端面の更に外側へと積極的に配光されるものである。
【０００８】
（３）上記（１）（２）項において、前記外周端面に、前記導光板の外部へと出射する光の配向を制御するプリズムが形成されている照明装置（請求項３）。
本項に記載の照明装置は、外周端面に（ミクロ的構成として）形成されたプリズムにより、導光板の外部へと出射する光の配向をより最適に制御し、導光板の外周端面から外部に出射する光による照光を、効率よく行うものとなる。
【０００９】
（４）上記（１）から（３）項において、前記導光板が円環状をなしている照明装置（請求項４）。
本項に記載の照明装置は、円環状の導光板の内周端面に沿って配置される複数の点状光源から、導光板内の円形の内周端面へ向けて出射されて、導光板内に入射する光の一部が、導光板の円形の外周端面から外部に出射することで、間接照明としての効果が小さい照明装置の直上の範囲を照らすことなく、照明装置の円形の外周端面の更に外側へと積極的に配光するものである。
【００１０】
（５）上記（１）から（３）項において、前記導光板が環状をなしている照明装置。
本項に記載の照明装置は、導光板の形状が、上記（４）項の円環状に限らず、多角形の環状をなしているものも含まれるものである。そして、多角形の環状の導光板の内周端面に沿って配置される複数の点状光源から、導光板内の内周端面へ向けて出射されて、導光板内に入射する光の一部が、導光板の外周端面から外部に出射することで、間接照明としての効果が小さい照明装置の直上の範囲に光が回り込むことなく、照明装置の外周端面の更に外側へと積極的に配光するものである。
【００１１】
（６）上記（１）から（５）項において、天井面又は壁面に設置される照明装置。
本項に記載の照明装置は、天井面又は壁面に設置されて、導光板の外周端面から出射する光が、間接照明としての効果が小さい照明装置の直上の範囲の、天井面又は壁面に回りこむことなく、導光板の外周端面の更に外側の範囲、天井面又は壁面へと配光されるものである。
【発明の効果】
【００１２】
本発明はこのように構成したので、直接照明としてのみならず間接照明としての効果も得られる照明装置の、明るさ感の向上を図りつつ薄型化を促進することができる。
【図面の簡単な説明】
【００１３】
【図１】本発明の実施の形態に係る照明装置の導光板及び光源を概略的に示すものであり、（ａ）は平面図、（ｂ）は断面図である。
【図２】図１（ｂ）に示される導光板から出射される光と、天井面との関係を示す断面図である。
【図３】従来の照明装置と天井面との関係を模式的に示す断面図である。
【発明を実施するための形態】
【００１４】
以下、本発明の実施の形態を図面に基づき説明する。ここで、従来技術と同一部分、若しくは相当する部分については同一符号で示し、詳しい説明を省略する。
本発明の実施の形態に係る照明装置２０は、図１に示されるように、円形の内周端面２２ａと、円形の外周端面２２ｂとを有する円環状の導光板２２と、複数の点状光源２４とを有しており、複数の点状光源２４は、導光板２２の導光板２２の内周端面に沿って配置されている。ここで、導光板２２は、例えば、ポリカーボネート樹脂等の透明樹脂材料を、一定の厚みに成形してなるものである。導光板２２の上面（天井面１６側の面）２２ｃには、導光板２２内を伝搬する光の光路を変更する手段としての、例えば、ドットパターン（不図示）が形成されている。なお、図１（ａ）には、点状光源２４が円環帯状に図示されているが、これは、複数のＬＥＤが円周状に配列されたものを、便宜上省略して示したものである。
【００１５】
又、図２に示されるように、導光板２２の上面２２ｃには、反射板２６が配置され、下面（床面側の面）２２ｄは、導光板２２への入射光Ｌが導光板２２内を伝播する過程で、大部分が出射される主面となっている。そして、この下面２２ｄには、拡散板２８が配置されることで、主面２２ｄから出射される光Ｌは、広範囲に拡散されることとなる。なお、反射板２６及び拡散板２８は、いずれも導光板２２及び点状光源２４を覆う円環状をなしている。又、反射板２６は、通常、白色フィルムや銀蒸着フィルム等からなる拡散反射又は正反射部材である。一方、拡散板２８は、下面２２ｄから出射される光Ｌを拡散する機能を有するものであれば良く、適宜プリズムシートに置換することとしても良い。
【００１６】
又、導光板２２の外周端面２２ｂは、主面である下面２２ｄに対し、全体として（マクロ的構成として）直交する面で構成されている。本実施の形態において「直交」には、必要に応じ、直角よりもわずかに傾斜角度が大きい（又は小さい）ものであっても良い。更に、外周端面２２ｂに、導光板２２の外部へと出射する光Ｌの配向を制御するプリズムが（ミクロ的構成として）形成されている。なお、具体的なプリズム形状については、天井面１６との距離や、天井面１６への配光設定を考慮して、適切な光Ｌの屈折効果が得られるものであれば良い。
【００１７】
そして、照明装置２０は適切な固定具によって、図２に示されるように、その設置態様に応じて、天井面１６に対して一定の間隔を空けて固定されるものである。なお、照明装置２０は、点状光源２４に電流を供給するための電気基板を備え、又、適宜デザイン性を考慮したカバー等も備えるものであるが、説明の便宜上これらの構成部品は、図示を省略している。
【００１８】
さて、上記構成をなす、本発明の実施の形態によれば、次のような作用効果を得ることが可能である。すなわち、本発明の実施の形態に係る照明装置２０は、内周端面２２ａに沿って配置される複数の点状光源２４から、導光板２２内の内周端面２２ａへ向けて出射されて、導光板２２内に入射する光Ｌの一部が、出射面である導光板の外周端面２２ｂから外部に出射することで、照明装置２０の外周端面の更に外側へと、積極的に配光されるものである。このように、導光板２２の外周端面２２ｂから光Ｌを出射することで、間接照明としての効果が小さい照明装置２０の直上の範囲に光Ｌが回りこむことなく、導光板２２の外周端面２２ｂの更に外側の範囲へと、配光されるものとなる。
しかも、導光板２２自体が間接照明としての配光機能を担持するものであり、照明装置２０としての厚みを増大させる要因である、従来のフレーム１４（図３参照）等の配光機能を有する部品を、別途使用する必要もなく、照明装置２０の薄型化を促進することが出来る。
【００１９】
又、導光板２２の外周端面２２ｂが、導光板２２の主面２２ｄ、すなわち、点状光源２４から、内周端面２２ａへ向けて出射されて導光板２２内に入射する光Ｌのうち、導光板２２内を伝播する過程で大部分が出射される出射平面に対し、全体として直交する面で構成されていることで、外周端面２２ｂから出射される光Ｌが、間接照明としての効果が小さい照明装置２０の直上の範囲へと回り込むことなく、照明装置２０の外周端面２２ｂの更に外側へと積極的に配光されるものとなる。
【００２０】
又、導光板２２の外周端面２２ｂに、導光板２２の外部へと出射する光Ｌの配向を制御するプリズムが形成されていることにより、外周端面２２ｂから出射される光Ｌの配光をプリズムにより最適に制御し、導光板２２の外周端面２２ｂから外部に出射する光Ｌにより、効率よく天井面１６を照らすことが可能となる。
【００２１】
なお、導光板２２の形状は、図１（ａ）に示される円環状に限らず、多角形の環状をなしているものも含まれるものである。この場合も、多角形の環状の導光板２２の内周端面に沿って配置される複数の点状光源２４から、導光板２２内の内周端面２２ａへ向けて出射されて、導光板２２内に入射する光Ｌの一部が、導光板２２の外周端面２２ｂから外部に出射することで、間接照明としての効果が小さい照明装置２０の直上の範囲を照らすことなく、照明装置２０の外周端面２２ｂの更に外側へと、積極的に配光することができる。
【符号の説明】
【００２２】
１６：天井面、２０：照明装置、２２：導光板、２２ａ：内周端面、２２ｂ：外周端面、２２ｄ：主面、２４：点状光源、Ｌ：光
【図１】
2012129112.tif 000003
【図２】
2012129112.tif 000004
【図３】
2012129112.tif 000005